(57)【要約】      （修正有）【課題】光ピックアップの発光波形において、オーバシュートやアンダシュートを低減し、記録品質を向上させる。【解決手段】記録するパルスのうちラストパルスの後エッジと、イレーズトップパルスの前エッジのタイミングをほぼ一致させる。イレーズトップパルスのパワーＰｅｔと消去パワーＰｅの差ａと、記録パワーＰｗと消去パワーＰｅの差ｂとの比（ａ／ｂ）を変化させることで、各種の記録媒体に対しオーバシュートやアンダシュートを低減するに適した設定を行う。イレーズトップパルスの時間長Ｔｅｒｔを記録速度に応じて切換え、各種の記録媒体の記録速度に対応する。【選択図】図４Ｂ
2011118996.tif 000002
【特許請求の範囲】
【請求項１】
情報信号を記録し再生する光学式記録媒体の記録装置であって、
供給された記録データに再生時のエラー訂正符号を付加し、符号の発生頻度に応じた記録符号とする記録信号処理回路と、
該記録信号処理回路から供給された記録符号に基づき前記光学式記録媒体へ記録するためのライトパルスを生成し、また該ライトパルスの後エッジとタイミングが略一致した前エッジを有するイレーズトップパルスを生成するライトパルス生成回路と、
該ライトパルス生成回路で生成されたライトパルスを電力増幅するレーザダイオードドライブ（ＬＤＤ）と、
該ＬＤＤから供給されたライトパルスに基づき、前記光学式記録媒体にレーザ光を照射して情報を記録するレーザダイオード（ＬＤ）を含む光ピックアップと、
前記記録装置が含む各構成要素の動作を制御するシステム制御回路
を有することを特徴とする光学式記録媒体の記録装置。
【請求項２】
請求項１に記載の光学式記録媒体の記録装置において、前記システム制御回路は、前記光ピックアップが照射するレーザ光の発光波形におけるオーバシュートないしアンダシュートを略最小値とするよう、使用する光学式記録媒体に応じて前記ライトパルス生成回路が生成する前記イレーズトップパルスのパワーレベルを制御することを特徴とする光学式記録媒体の記録装置。
【請求項３】
請求項１に記載の光学式記録媒体の記録装置において、前記システム制御回路は、前記光学式記録媒体に記録する記録速度に応じて、前記ライトパルス生成回路が生成する前記イレーズトップパルスの時間長を制御することを特徴とする光学式記録媒体の記録装置。
【請求項４】
情報信号を記録し再生する光学式記録媒体の記録方法であって、
供給された記録データに再生時のエラー訂正符号を付加し、符号の発生頻度に応じた記録符号とする記録信号処理ステップと、
該記録信号処理ステップから供給された記録符号に基づき前記光学式記録媒体へ記録するためのライトパルスを生成し、また該ライトパルスの後エッジとタイミングが略一致した前エッジを有するイレーズトップパルスを生成するライトパルス生成ステップと、
該ライトパルス生成ステップで生成されたライトパルスを前記光学式記録媒体へ記録する記録ステップとを有し、
前記ライトパルス生成ステップは、前記記録ステップにおける記録波形におけるオーバシュートないしアンダシュートを略最小値とするよう、使用する光学式記録媒体に応じて前記イレーズトップパルスのパワーレベルを設定することを特徴とする光学式記録媒体の記録方法。
【請求項５】
請求項４に記載の光学式記録媒体の記録方法であって、前記ライトパルス生成ステップは、前記光学式記録媒体に記録する記録速度に応じて、前記イレーズトップパルスの時間長を設定することを特徴とする光学式記録媒体の記録方法。
【発明の詳細な説明】
【技術分野】
【０００１】
本発明は、光学式記録媒体の記録装置、及び光学式記録媒体の記録方法に係り、特にレーザダイオード（以下、ＬＤと略記する）の発光波形を改善した光学式記録媒体の記録装置、及び光学式記録媒体の記録方法に関するものである。
【背景技術】
【０００２】
ＤＶＤ（Digital Versatile Disk）やＢＤ（Blu-ray Disk）など光ディスクをはじめとする光学式記録媒体の記録装置（以下、光ディスク装置と称する）においては、再生時のエラーレートを低減するための開発が進んでいる。このためには、特に記録媒体へ情報を記録するための記録信号波形、これを供給されるＬＤの発光波形を最適にするための開発が重要である。
【０００３】
特許文献１には、記録の際に生じる予熱効果の影響を一定にして、所望の位置に所望の形状の情報ビットを記録する技術が開示されている。
特許文献２には、多層型の相変化情報記録媒体において、微小な非晶質マークを安定に形成して、３値以上の多値記録も良好に行う技術が開示されている。
【先行技術文献】
【特許文献】
【０００４】
【特許文献１】特開平５−１４３９９３号公報
【特許文献２】特開２００６−１８９８２号公報
【発明の概要】
【発明が解決しようとする課題】
【０００５】
光学式記録媒体に情報を記録する際のＬＤの発光波形においては、規格で定められた記録信号の基本的な波形のほかに、実際にはオーバシュートやアンダシュートが発生する。これは再生時の再生波形を劣化させ、最悪はデータの読取りエラーにつながるものであるため好ましくない。
記録回路で発生された記録信号が仮に理想的なものであったとしても、ＬＤの発光波形にはオーバシュートやアンダシュートが発生することが多い。これはＬＤを駆動（Drive）するＬＤＤの出力インピーダンスや、ＬＤとＬＤＤとの間の配線の浮遊容量に起因することが多い。
【０００６】
前記出力インピーダンスや浮遊容量をもとにしたシミュレーションにより、結果的に発光波形のオーバシュートやアンダシュートが少なくなる記録信号波形を求め、これを記録回路で発生して課題を解決することが考えられる。また実際の装置を使用してオーバシュートやアンダシュートを実測し、これが少なくなる記録信号波形を実験的に求める方法もある。
しかし、前記出力インピーダンスや浮遊容量はＬＤを含むＯＰＵ（Optical Pick Up）ごとに異なるものである。前記したシミュレーションや実測による方法では、機種が変わるごとに記録信号波形を改めて求める必要があり、開発効率を向上するうえで問題となっていた。
本発明の目的は前記した問題に鑑み、ＬＤの発光波形を改善した光学式記録媒体の記録装置、及び光学式記録媒体の記録方法を提供することを目的とする。
【課題を解決するための手段】
【０００７】
前記目的を達成するため本発明は、情報信号を記録し再生する光学式記録媒体の記録装置であって、供給された記録データに再生時のエラー訂正符号を付加し、符号の発生頻度に応じた記録符号とする記録信号処理回路と、該記録信号処理回路から供給された記録符号に基づき前記光学式記録媒体へ記録するためのライトパルスを生成し、また該ライトパルスの後エッジとタイミングが略一致した前エッジを有するイレーズトップパルスを生成するライトパルス生成回路と、該ライトパルス生成回路で生成されたライトパルスを電力増幅するレーザダイオードドライブ（ＬＤＤ）と、該ＬＤＤから供給されたライトパルスに基づき、前記光学式記録媒体にレーザ光を照射して情報を記録するレーザダイオード（ＬＤ）を含む光ピックアップと、前記記録装置が含む各構成要素の動作を制御するシステム制御回路を有することを特徴としている。
【０００８】
また本発明は、情報信号を記録し再生する光学式記録媒体の記録方法であって、供給された記録データに再生時のエラー訂正符号を付加し、符号の発生頻度に応じた記録符号とする記録信号処理ステップと、該記録信号処理ステップから供給された記録符号に基づき前記光学式記録媒体へ記録するためのライトパルスを生成し、また該ライトパルスの後エッジとタイミングが略一致した前エッジを有するイレーズトップパルスを生成するライトパルス生成ステップと、該ライトパルス生成ステップで生成されたライトパルスを前記光学式記録媒体へ記録する記録ステップとを有し、前記ライトパルス生成ステップは、前記記録ステップにおける記録波形におけるオーバシュートないしアンダシュートを略最小値とするよう、使用する光学式記録媒体に応じて前記イレーズトップパルスのパワーレベルを設定することを特徴としている。
【発明の効果】
【０００９】
本発明によれば、ＬＤの発光波形を改善した光学式記録媒体の記録装置、及び光学式記録媒体の記録方法を提供でき、記録装置の基本性能の改善に寄与できるという効果がある。
【図面の簡単な説明】
【００１０】
【図１】本発明の一実施例に関わる光ディスク装置のブロック図である。
【図２】ＬＤＤの駆動制御信号とＬＤの発光波形の一例を示す波形図である。
【図３Ａ】ＬＤＤやＬＤ周辺の一例を示す回路図及び等価回路図である。
【図３Ｂ】ＬＤＤからＬＤへの伝達特性の一例を示す周波数特性図である。
【図４Ａ】一般的な記録パルスの波形図である。
【図４Ｂ】本発明の一実施例を示す記録パルスの波形図である。
【図５】本発明の一実施例におけるＬＤ発光波形の波形図である。
【発明を実施するための形態】
【００１１】
以下、本発明の実施形態の例について図面を用いながら説明する。
図１は、本発明の一実施例に関わる光ディスク装置のブロック図である。図１の光ディスク装置は、ＰＣ（Personal Computer）をはじめとするホスト装置（図示せず）からの制御に基づき、光ディスク１に映像や音声をはじめとするデータを記録し、また再生する。以下では、ホスト装置との関係については省略し、本実施例の直接関わる光ディスク装置（ドライブ装置部分）について述べることとする。
【００１２】
記録媒体である光ディスク１は、ＣＤ（Compact Disk）、ＤＶＤ（Digital Versatile Disk）、ＢＤ（Blu-ray Disk）などである。もちろん、ＢＤ−ＲやＤＶＤ−Ｒをはじめとする一回のみ記録が可能な追記型、ＢＤ−ＲＥやＤＶＤ−ＲＡＭをはじめとする書換え型のいずれを用いても良い。
装着された光ディスク１は、シャフト２Ａを介してスピンドルモータ２により回転駆動される。そのための駆動制御信号はシステム制御回路１５から供給されている。
【００１３】
光ピックアップ３は、レーザ光束３Ｅを光ディスク１の記録面に照射し、データを記録ないし再生する。すなわち、記録する符号化データに基づき変調されたレーザ光がＬＤ（Laser Diode）をはじめとする半導体レーザ光源３Ａで発生され、ビームスプリッタ３Ｂを通過し、立上げミラー３Ｃで反射され、対物レンズ３Ｄで光ディスク１に対してフォーカス合せをされてレーザ光束３Ｅとされ、光ディスク１の記録面に照射され、データを記録する。再生する際は、光ディスク１の記録ピットに応じて変調された反射光であるレーザ光束３Ｅが、対物レンズ３Ｄを介して立上げミラー３Ｃで反射され、ビームスプリッタ３Ｂの接合面でも反射され、光ディテクタ３Ｆで電気信号に変換されながら、再生信号として検出される。なお、ここで示した光ピックアップ３の構成は簡略化された一例である。例えば収差を吸収するコリメートレンズをさらに有し、また構成要素の配列が異なるものなど別な例もあるが、本実施例においては、いずれを用いても良い。
【００１４】
光ピックアップ３は、スレッド機構（図示せず）に搭載されており、光ディスク１上の半径方向に移動して所定のトラック位置において記録再生を行う。このための制御信号は、システム制御回路１５で生成される。また対物レンズ３Ｄはアクチュエータ（図示せず）に搭載されており、やはりシステム制御回路１５で生成される制御信号に基づき、レーザ光束３Ｅが光ディスク１の所定の記録トラック上に正しくフォーカスするように位置を微調整される。
【００１５】
次に信号回路部の動作について説明する。まずデータ記録時は、ホスト装置（図示せず）から入力端子４Ａを介して、入出力回路５に記録データが供給される。元の信号が動画像の映像信号である場合には、例えばＭＰＥＧ（Moving Picture Experts Group）方式によりデータ圧縮された記録データが供給される。これはバッファメモリ６に一時的に格納される。記録信号処理回路７は、メモリ６から所定量のデータを読み出したうえで、エラー訂正符号を付加し、また符合の発生確率に応じた符号化のための変調処理などを行って記録信号を生成する。ライトパルス生成回路８は、前記した記録信号を受けてレーザ発光パルス列に変換する。さらにＬＤＤ（Laser Diode Drive）９は前記レーザ発光パルス列を受けて、さきのＬＤ（３Ａ）を駆動できるように電力増幅して、ピックアップ３のＬＤ（３Ａ）に供給する。これにより、記録信号は光ディスク１へ記録される。
【００１６】
一方再生時には、光ディテクタ３Ｆで検出された電気信号としての再生信号が、ＡＦＥ（Analog Front End）回路１０に供給される。ＡＦＥ回路１０は、ディジタル記録であっても本質的にはアナログ信号として扱うべき前記再生信号の処理を行う。これはプッシュプル信号処理回路１０Ａ（図中のＰＰ処理）とＥＱ（Equalizer）回路１０Ｂを含んでいる。プッシュプル信号処理回路１０Ａは、再生信号を演算処理してＴＥ（Tracking Error）信号や信号やＦＥ（Focus Error）信号を生成し、システム制御回路１５に供給する。システム制御回路１５は、供給されたＴＥ信号やＦＥ信号に基づきトラッキング用とフォーカス用のサーボ信号を生成し、光ピックアップ３に供給してその動作を制御する。なお、ＴＥ信号やＦＥ信号の詳しい生成方法については、本発明の主眼ではないので記載を省略する。
【００１７】
一方ＥＱ回路１０Ｂにおいては、光ピックアップ３や光ディスク１でデータを記録再生した際の、振幅や位相の周波数特性が等化され、再生信号の波形がさきのＬＤＤ（９）の出力波形に極力近づくようにされる。さらにＤＥＭ（Demodulator）回路１２で、前記した記録信号処理回路７での符号化変調処理が復調され、ＥＣＣ（Error Correction Circuit）回路１３で記録再生過程におけるエラー訂正処理が施される。これはＥＣＣＤＥＴ（Detector）回路１４で、前記した記録信号処理回路７で付加されたエラー訂正符号に基づいてエラーを検出した際に機能する。ＥＣＣ回路１３において必要なエラー訂正を施された再生データは、バッファメモリ６に一時的に格納される。バッファメモリ６に格納された再生データは、入出力回路５と出力端子４Ｂを介してホスト装置（図示せず）へ逐次転送される。
【００１８】
なお、さきのＥＣＣＤＥＴ回路１４の出力は、システム制御回路１５の含むベリファイ判定回路１５Ａにも供給されている。一度記録されたデータが、再生時にＥＣＣ回路１３でエラー訂正できる程度の品質で記録できたかを確認するのがベリファイである。多くの場合、少なくも記録したデータを最初に再生する際に実施している。ベリファイ判定の方法にはいくつかの方法が考えられるが、ここでは、ＥＣＣＤＥＴ回路１４で検出したエラー発生の頻度に応じて判定するようにしている。
【００１９】
次に図２を用いて、ＬＤの発光波形に発生する前記したオーバシュートやアンダシュートについて説明する。図２は、ＬＤＤの駆動制御信号とＬＤの発光波形の一例を示す波形図である。図示した波形は、６Ｔパルスの一個分である。ここでＬＤＤの駆動制御信号とは図１のＬＤＤ（９）の出力信号であり、元はライトパルス生成回路８で生成された記録信号である。図中のＰｗは記録パワーを、Ｐｅは消去パワーを、０はゼロパワー（無発光）を示す。またＬＤの発光波形とは図１のレーザ光束３Ｅの波形である。
【００２０】
図２から分かるように、ＬＤＤの駆動制御信号が矩形波であっても、ＬＤの発光波形には図中の丸印で囲った部分に、オーバシュートとアンダシュートが発生している。最後のパルスがＰｗからＰｅへ戻る際に、ＬＤの発光波形ではＰｅを通り過ぎて０に到るアンダシュートが発生し、０からＰｅへ戻る際にオーバシュートが発生している。これは再生波形に記録波形との誤差を発生させ、最悪は読取りエラーの原因にもなる。
【００２１】
なお、Ｔとは動作の基本クロックの周期であり、ＤＶＤの場合は記録信号には３Ｔパルスから１４Ｔパルスが用いられる。発生頻度の多い符号ほど３Ｔをはじめとする時間長の短いパルスが用いられるよう、記録信号処理回路７は動作している。
【００２２】
次に図３Ａと図３Ｂを用いて、前記したオーバシュートやアンダシュートが発生する原因を説明する。図３Ａは、ＬＤＤやＬＤ周辺の一例を示す回路図及び等価回路図である。図３Ｂは、ＬＤＤからＬＤへの伝達特性の一例を示す周波数特性図である。
図３Ａにおいて、ＬＤＤの最終段は、例えばエミッタ接地（コレクタフォロア）回路が使用される。トランジスタのコレクタとバイアス電源ＶＨＩ（一例として６〜１０Ｖ程度）の間には、マイクロストリップ線を介してＬＤが直接負荷として接続される。ＬＤの発光に応じて記録媒体には情報が記録される。ＬＤＤは、例えば抵抗４０オームと容量１０ｐＦ程度が並列となった出力インピーダンスを有する。マイクロストリップ線の長さＬは装置の事情に応じて変わるが、例えば３０ｍｍ程度とする。その幅Ｗは、０．３ｍｍ程度のものが使われることが多い。ＬＤは例えば図示ずるように、左側の容量０．６ｐＦから右側の抵抗８．８オームに到る、各抵抗、コイル、容量で表される。
【００２３】
図３Ｂにおいては、マイクロストリップ線の幅Ｗが０．３ｍｍのみならず、図示する４つの場合につき、ＬＤＤからＬＤへの伝達特性を表す周波数特性の一例が示されている。すなわち、数百ＭＨｚのカットオフ周波数（−３ｄＢ）を有するＬＰＦ（Low Frequency Pass Filter）特性を示し、帯域外の１〜２ＧＨｚにピークを有する高次の周波数特性を示す。このため、ＬＤに実際に流れる電流波形にはオーバシュートやアンダシュートが発生する。これによりＬＤ発光波形においても急峻な変化後の過渡期間に、図２に示したようなオーバシュートやアンダシュートが発生することとなる。
【００２４】
次に、前記したオーバシュートやアンダシュートを低減する方法について説明する。図２に示したＬＤＤ駆動制御信号におけるパルス波形は、６Ｔパルスの本来の波形を示した。しかし実際には、最後のラストパルス（Last Pulse）の後に０パワー期間をおき、さらにイレーズトップパルス（Erase Top Pulse）と呼ばれるパルスを経て、消去パワーＰｅに到ることが多かった。イレーズトップパルスは、実際の消去が始まるタイミングが遅れないよう消去パワー期間の前に付されたものである。
本実施例においては、このイレーズトップパルスの前エッジのタイミングを、ラストパルスの後エッジのタイミングとほぼ一致させ、ラストパルス直後のアンダシュートにより意図せずに発生する無発光期間、さらにはその後のオーバシュートを低減するようにしている。
【００２５】
本実施例につき、図４Ａと図４Ｂを対比させながら説明する。
図４Ａは一般的な記録パルスの波形図であり、図４Ｂは本発明の一実施例を示す記録パルスの波形図である。ここでは図２とは異なり、４Ｔパルスを例にとって示している。
【００２６】
図４Ａで示すように一般的には記録パルスは、イレーズトップパルスと呼ばれるパルスを有している。これはラストパルスの所定時間後に時間長Ｔｅｒｔにわたり、記録パワーＰｗと消去パワーＰｅの間のパワーＰｅｔをもって発生される。すなわちＴｅｒｔの期間のパワーが、図中の破線で示すようにＰｅであればイレーズトップパルスを有さない場合、実線で示すようにＰｅｔであればイレーズトップパルスを有する場合となる。Ｔｅｒｔは前記したとおり、実際の消去パワーの立ち上がりが遅れないような最適値に設定される。
【００２７】
これに対して本実施例では図４Ｂで示すように、イレーズトップパルスの前エッジのタイミングを、ラストパルスの後エッジのタイミングとほぼ一致させている。これにより、前記したようなアンダシュートやオーバシュートが低減されるようにしている。
本実施例のさらなる特徴として、図示するようなＰｅｔとＰｅの差である値ａと、ＰｗとＰｅの差である値ｂとの比（ａ／ｂ）をパラメータとし、イレーズトップパルスのパワー値Ｐｅｔを適した値に設定することがある。ＢＤ−ＲＥ、ＤＶＤ−Ｒなど、各記録媒体に応じてオーバシュートやアンダシュートの少ない適した設定値が異なる。この適した設定値は、予め実測することで得ることができ、また光ディスク装置ごとに変わる要素は少ない。このため、記録媒体の種類を判別した際に、（ａ／ｂ）の値を記録媒体ごとの適した値に設定するよう、システム制御回路１５がライトパルス生成回路８に指示すれば良い。もちろん媒体ごとの差が小さければ、（ａ／ｂ）の値を一定値にしても良い。
【００２８】
ここで図５を用いて、前記（ａ／ｂ）の値を変化させた際にオーバシュートやアンダシュートの変化を実測した例を説明する。図５は、本発明の一実施例におけるＬＤ発光波形の波形図である。使用した記録媒体はＤＶＤ−ＲＷであるが、ＢＤ−ＲＥでも同様な結果を得ている。
図５において（ａ／ｂ）が０％の場合、すなわちイレーズトップパルスを使用しない場合には、さきの図２と同様なオーバシュートとアンダシュートが発生している。（ａ／ｂ）を１０％、１５％と増加させるとともに、０パワーに到るまでのオーバシュートが低減していき、３５％でほぼ問題ないまでに低減できている。当然ながら１００％近い値であればマークを記録するに到るので、適用することはできない。しかし３５％という値は、この記録パワーからは離れているので問題ない。しかも当然ながら次の消去パワーの立ち上がりが遅れることはなく、前記したイレーズトップパルスの作用と本実施例が目的とした作用は両立できることが分かる。さらに、従来のようにシミュレーションや実測で記録信号波形を求めた場合と比較し、（ａ／ｂ）をパラメータとした実測により最適値を定められるため、新たな機種を開発する際の開発効率も向上できる。
【００２９】
また本実施例のさらなる特徴として、従来とは異なり図４のイレーズトップパルスの時間長Ｔｅｒｔを可変とすることで、記録速度が異なる記録媒体に対応できることがある。
周知のとおりＣＤ、ＤＶＤ、ＢＤにおいては、単位時間内のデータをその何倍かの速度で記録する高速記録が可能である。一般に追記型の媒体の方が書換え型の媒体よりも、より早い速度での記録が可能である。さきの図２の発光波形でオーバシュートやアンダシュートを発生する時間長は、この記録速度に関わらず、例えば３ｎｓ程度と一定である。
【００３０】
ＤＶＤの場合、基本とする動作クロックの周波数は一倍速で２６．１６ＭＨｚである。したがい、前記した周期Ｔは３８．２ｎｓである。よってさきの３ｎｓとは、（５／６４）Ｔの期間に相当する。そこで一倍速（標準速）での記録では、図４Ｂで示すＴｅｒｔを（５／６４）Ｔとし、二倍速での記録では（５／３２）Ｔ、四倍速での記録では（５／１６）Ｔと切換えることで、記録速度に応じたＴｅｒｔの最適な切換えができる。これは対応できる記録速度の異なる複数種類の記録媒体への適用も可能とするものである。このための切換えは、使用する記録速度に基づき、システム制御回路１５がライトパルス発生回路８にＴｅｒｔの値を指示することで行なわれる。
【００３１】
ここまで示した実施形態は一例であって、本発明を限定するものではない。例えば、光ピックアップ３やＬＤＤ（９）に関し部分的に具体的な構成を示したが、これは限定条件ではない。このほか本発明の趣旨に基づきながら異なる実施形態を考えられるが、いずれも本発明の範疇にある。
【符号の説明】
【００３２】
１：光ディスク、３：光ピックアップ、７：記録信号処理回路、８：ライトパルス生成回路、９：ＬＤＤ。
【図１】
2011118996.tif 000003
【図２】
2011118996.tif 000004
【図３Ａ】
2011118996.tif 000005
【図３Ｂ】
2011118996.tif 000006
【図４Ａ】
2011118996.tif 000007
【図４Ｂ】
2011118996.tif 000008
【図５】
2011118996.tif 000009